(57)【要約】      （修正有）【課題】天井に吊下げられる構造体で、破損・損壊し落下災害を招く事なく、しかも、施工性に優れた防煙垂壁を提供する。【解決手段】全て現場で裁断・取付施工する仕様になっていて、現場施工図面に基づいて、材料を準備したら、１回で取付が完了する構造になっている。取付方法を簡単に纏めると、まず、現場の作業性の良い場所で、不燃性シートと上下部金物Ｌ・Ｐ１・Ｐ２を取付けた後、天井に吊下げると、不燃性シートの下端部に取付けられた下部プレートＰ１・Ｐ２が重りの役目をする為、自然に、天井面を基準に、垂直下方向の位置で安定する。次に、壁面部パーツＰ１と壁面ＳＷとの取合いは、不燃性シートが端部方立から３０ｍｍはみ出る構造な為、閉塞した区画が簡単に出来る。【選択図】図２
0003172133.tif 000002
【実用新案登録請求の範囲】
【請求項１】
天井面取付レールにＬ型アングル、不燃性シートの留め金部材に平プレートと言う安価で、加工のし易いアルミ材を使用し。且つ、現場施工を簡略化する為、天井面に取付ける為のＬ型アングル用のボルト穴以外は、全てボルト穴加工されている。
又、不燃性シートは、高さを一定に保つ為、工場切断した物を使用する。
【請求項２】
重力を利用して、簡単に垂れ壁パーツ部（シートを上下左右の金物で囲った構造）を現場で製作・取付出来る構造
【請求項３】
閉塞区画を作る為、壁面との取合いは通常、シール材とかガスケット等を使用するが、これは、端部方立から不燃性シートが３０ｍｍ程度はみ出す事で、簡単に閉塞区画が出来る。
【請求項４】
下部の納まりを、真直ぐ、しかも形よく納める為に下部フレームが必要となり、その下部フレームの長期間落下を防止する為に、シリコンによる化学接着強度と、、下部プレートにビス取付されたジョイナーに、鍵型（図８参照）構造の下部フレームが引掛る構造になっている為、機械的強度も加わる。
【請求項５】
壁面取合い部の下端を、壁面固定金物を使って固定する為、平常時、室内の風で動く様な事はない。
【考案の詳細な説明】
【技術分野】
【０００１】本考案は、破損・脱落の恐れの無い不燃シートを用いた防煙垂壁に関する。
【背景の技術】
【０００２】従来、建築基準法により所定以上の床面積を有する建築物には、天井より垂れ壁を設けて、火災の際、煙の移動を阻止する為の防煙垂壁を設ける用義務付けられている。
そこで、この防煙垂壁で煙移動阻止の役目をする垂れ壁部には、不燃材である、硝子ケイカル板・透明グラスファイバーシート等が用いられている。
【０００３】防煙垂壁用垂れ壁に使用されてるこれらの不燃材の内、地震等が発生した際、硝子ケイカル板は、揺れにより、破損・損壊し落下災害を招く危険性が大きい。
【０００４】透明グラスファイバーシート仕様の防煙垂壁は、パネル形状の物と、両サイドで引っ張り合うテンション構造型の防煙垂壁があり、硝子・ケイカル板仕様と異なり、地震による破損・損壊の恐れはない。
【０００５】透明グラスファイバーシート仕様の防煙垂壁は、安全性の点からは絶大なる信頼が置ける工法である。しかし、施工面に関して述べると、施工する壁間を正確に測定して、垂れ壁パネル部を発注し、工場製作された垂れ壁パネル部を現場取付する事になるが現実の現場は、柱の形状、現場の状況により、壁間を正確に測定出来ない事が多く、出来たとしてもヒューマンエラーに依る誤発注で混乱する事が多々ある。
【先行技術文献】
【０００６】
【特許文献】
【特許文献】  特公開２０１１−４１６９３号  特公開２００８−１７３２７１号
【非特許文献】
【０００７】
【非特許文献１】  旭硝子製サンスモークカットＴ・日本板硝子ディアンドジーシステム製スモークフェンスＴ・日軽産業（株）製ＦＸＷＡＬＬ・（株）ミヨシ製Ｍ式ツリコ・日東防製ダンスモーク
【考案の概要】
【考案が解決しようとする課題】
【０００８】天井に吊り下げられる構造体で、破損・損壊し落下災害を招く事なく、しかも、施工性に優れた防煙垂壁を開発する事にある。
【課題を解決するための手段】
【０００９】以上の目的を達成する為に、現場の作業性の良い場所で、不燃性シートと上下部金物を取付けた後、天井に吊下げると、不燃性シートの下端部に取付けた下部プレートが重りの役目をする為、天井面を基準に、垂直下方向の位置で安定する。【００１０】次に、壁面部パーツと壁面とに隙間は、端部方立から、不燃性シートを３０ｍｍ程度はみ出す構造にする為、防煙垂壁に要求される、煙の貫通しない区画が、簡単に出来る。
【考案の効果】
【００１１】安全性・作業性に優れた防煙垂壁として役立つ
【図面の簡単な説明】
【００１２】
【図１】本考案の一実施例を示す天井面から垂直方向の断面図
【図２】本考案の一実施例を示す一部正面図
【図３】本考案の一実施例を示す端部方立及び中間ジョイント方立の天井と平行方向の断面図
【図４】本考案の一実施例を示す上部天井Ｌアングルの形状
【図５】本考案の一実施例を示すプレートの形状
【図６】本考案の一実施例を示す端部方立及び中間ジョイント方立の形
【図７】本考案の一実施例を示す壁面固定金物
【図８】本考案の一実施例を示す下部フレーム
【図９】本考案の一実施例を示すジョイナー
【符号の説明】Ｓ      不燃性シート
Ｐ１    壁面部パーツ
Ｐ２    ジョイント部パーツ
ＳＷ    壁面
Ｗ      野縁
ＳＣ    軽天ビス
Ｌ      上部天井Ｌアングル
Ｐ１    上部プレート
Ｐ２    下部プレート（左）
Ｐ３    下部プレート（右）
Ｂ１    上部ボルト・ナット
Ｂ２    下部ボルト・ナット
Ｂ３    方立ボルト・ナット
ＨＭ    壁面固定金物
ＨＭＳ  壁面固定金物ビス
ＪＳ    ジョイナー
ＪＳＢ  ジョイナービス
Ｈ１    端部方立（左）
Ｈ２    端部方立（右）
Ｊ１    中間ジョイント方立（左）
Ｊ２    中間ジョイント方立（右）
Ｆ      下部フレーム
【考案を実施する為の形態】
【００１３】以下、図面と共に本考案の一実施例を図面に従って説明するに際し、まず、壁間を頻度の多い９Ｍスパン程度の平天井と仮定し、上部天井Ｌアングル（Ｌ）を取付ける天井バーＷ野縁（Ｗ）の位置が確認とれたと云う前提で、左側から取付作業にかかります。
上部天井Ｌアングル（Ｌ）を、天井バーＷ野縁（Ｗ）の位置する箇所に、軽天ビス（Ｓ）用３．５φを穴加工する。
【００１４】次に金物とシートを取付ける作業に移るが、まず、片方の壁面部のパーツ（Ｐ１）から取付けると、上部天井Ｌアングル（Ｌ）に必要高さ寸法にカットされた不燃性シート（Ｓ）〈４辺９０度〉を、プレート（Ｐ１）で挟み込んで、ボルト・ナット（Ｂ１）止めする、その際の注意点として、壁面部と密着させる為、不燃性シートの壁面取合い部は３０ｍｍ程度、金物端部から伸ばしてから、位置決めし、取付けて、不燃性シート（Ｓ）を切断する。［図３Ｓア参照］
【００１５】次に、下部プレート（Ｐ２・Ｐ３）を、不燃性シート（Ｓ）に、上部金物と平行で、端部が同じ位置になる様、挟み込んでボルト・ナット（Ｂ２）止めする。
【００１６】この状態（シートを上下の金物で固定）で、上部天井Ｌアングル（Ｌ）を、天井ボード（Ｃ）を介して、天井バーＷ野縁（Ｗ）に軽天ビス（ＳＣ）で固定する。
【００１７】天井にスクリーンを吊下げた状態で、端部方立（Ｈ１・Ｈ２）を所定の寸法に切断して、壁面に押し当てて、不燃性シート（Ｓ）をボルト・ナット（Ｂ３）止めする。
この際不燃性シート（Ｓ）は３０ｍｍ程度はみ出す形［図３Ｓア］になり、この構造が壁面との隙間を密着させ、防煙垂壁の機能を成立させる。
【００１８】次のパーツ（Ｐ２）も同様の方法で、組み立てて吊り下げるが、ここで、今度は、中間ジョイント部に関しては、左右の不燃性シート（Ｓ）を、所定の寸法に切断した中間ジョイント方立（Ｊ１・Ｊ２）で挟み込みボルト止めする。
【００１９】壁面間の最後のパーツの場合、上下の金物は全て１９００ｍｍサイズで左右端部から１０ｍｍの位置に穴加工（図４・５イ）が施してある為、残りのスパンは右側壁面に金物の端部がくる様にして、ジョイント面で金物を切断し、今迄と同じ方法で取付ける。
【００２０】次に、下部フレーム（Ｆ）の取付を行う。下部フレーム（Ｆ）のジョイント部にジョイナー（ＪＮ）をビス（ＪＳＢ）揉みと、下部フレーム（Ｆ）溝に１液シリコンを打設しといて、ジョイナー（ＪＮ）に横からスライドさせて取付ける。
【００１６】最後に、左右の壁面は、壁面固定金物（ＨＭ）を、スクリーンが垂直になる位置で、壁面にビス（ＨＭＳ）にて固定して、終了となる。
【図１】
0003172133.tif 000003
【図２】
0003172133.tif 000004
【図３】
0003172133.tif 000005
【図４】
0003172133.tif 000006
【図５】
0003172133.tif 000007
【図６】
0003172133.tif 000008
【図７】
0003172133.tif 000009
【図８】
0003172133.tif 000010
【図９】
0003172133.tif 000011
【手続補正書】
【提出日】平成23年9月14日(2011.9.14)
【手続補正１】
【補正対象書類名】実用新案登録請求の範囲
【補正対象項目名】全文
【補正方法】変更
【補正の内容】
【実用新案登録請求の範囲】
【請求項１】
不燃性シートを用いたグラスファイバ防煙スクリーンにおいて、
（１）不燃性シートの三辺は、同型のアルミプレート材によって挟み込む構造で、天井取合い部のみ、片方にＬ型アルミアングル材を用いて、Ｌ型アルミアングル材とアルミプレート材によって不燃性シートを挟み込み、Ｌ型アルミアングル材の直角に折れ曲がった片方の面は天井面に固定した構造。
（２）不燃性シートを皺無く吊下げる為に、天井面に平行な下部方向、及び両端・中間の縦方向をアルミ部材で挟み込んで取付けた構造。
（３）壁面とグラスファイバ防煙スクリーンとの隙間部は、端部方立から不燃性シートがはみ出す事で、簡単に閉塞区画した構造。
（４）平常時、室内風で不安定にならない様、壁面に壁面固定金物を取付けて、グラスファイバ防煙スクリーンの壁面取合い部下端を、固定した構造。
（５）不燃性シートとアルミ部材及び止めビス、これら不燃性でしかも軽量な材料を、必要量取り揃えて、全て現場施工にて取付た構造。
以上からなるグラスファイバ防煙スクリーン。